(57)【要約】【課題】２画面駆動タイプの単純マトリクス型液晶表示装置において、信号線駆動回路に表示データを供給するタイミングを規定するドットクロック信号によって発生する高周波ノイズを低コストで低減する。【解決手段】２画面駆動タイプの単純マトリクス型液晶表示装置において、上画面側信号線駆動回路に画像データを供給するタイミングを規定する上画面側ドットクロック信号と、下画面側信号線駆動回路に画像データを供給するタイミングを規定する下画面側ドットクロック信号の位相を１８０度ずらして発生させる制御回路と、上画面側ドットクロックラインとそれに平行して設けられた下画面側ドットクロックラインを設けたものであり、これによってドットクロックから発生する高周波ノイズ輻射を低コストで低減することができる。【選択図】図１
2004258130.tif 000002
【特許請求の範囲】
【請求項１】
２画面駆動タイプの単純マトリクス型液晶モジュールならびにこの液晶モジュールに対し制御信号および画像データを供給するコントローラーを備えた液晶表示装置において、前記コントローラーに対し、一方画面側信号線駆動回路に画像データを供給するタイミングを規定する一方画面側ドットクロック信号と、他方画面側信号線駆動回路に画像データを供給するタイミングを規定する他方画面側ドットクロック信号との間にて位相を１８０度ずらして発生させる制御回路を設けたことを特徴とする液晶表示装置。
【請求項２】
前記液晶モジュールとコントローラーとを接続する手段に対し、一方画面側ドットクロックラインと他方画面側ドットクロックラインとをほぼ平行に隣接して設けられたことを特徴とする請求項１に記載の液晶表示装置。
【発明の詳細な説明】
【０００１】
【発明の属する技術分野】
本発明はＥＭＩ（Ｅｌｅｃｔｒｏ  Ｍａｇｎｅｔｉｃ  Ｉｎｔｅｒｆｅｒｅｎｃｅ：電磁波障害）対策した液晶表示装置に関するものである。
【０００２】
【従来の技術】
従来の液晶表示装置のノイズ対策によれば、高周波クロックラインに抵抗、コイル、コンデンサなどのノイズ低減手段を用いていた。
【０００３】
しかしながら、このようなノイズ低減手段を多用すると、高周波クロックとデータ信号との位相関係が崩れ、これによって、誤動作を生じさせる原因になっていた。
【０００４】
このような誤動作を解消する技術を下記に述べる（特許文献１参照）。
【０００５】
以下、このような従来技術を図３〜図５により説明する。
【０００６】
図３は２画面駆動タイプのＳＴＮ型液晶表示装置を示すブロック図である。図４は選択的遅延手段を示すブロック図であり、また、図５はこの液晶表示装置の動作を示すタイミング図である。
【０００７】
図３に示す液晶表示装置によれば、３００は液晶パネルであり、画面を上画面と下画面とに２分割して同時並行的に描画する構成である。
【０００８】
また、３０１ａは上側走査線駆動回路、３０１ｂは下側走査線駆動回路であり、３０２ａは上側信号線駆動回路、３０２ｂは下側信号線駆動回路、３０３は液晶を駆動させるための制御信号および画像データを生成するＬＣＤコントローラーである。
【０００９】
３０４は高周波ドットクロック信号（ＣＰ）ラインに設けられたノイズ低減手段である。
【００１０】
図３によれば、直列接続された抵抗とラインとグランド間に接続されたコンデンサによる構成を例示している。
【００１１】
３０５は上下画像データ（Ｕ−ＤＡＴＡ、Ｌ−ＤＡＴＡ）を受け、ドットクロックに係わる時間だけ画像データを遅延させる選択的遅延手段であり、外部制御付きバッファ回路６個と切り替え回路からなる。
【００１２】
このような選択的遅延手段３０５は図４に示すように、バッファ４０１の直列接続の数を選択するように構成されている。
【００１３】
次に図３に示す液晶表示装置において、その動作を図５により説明する。
【００１４】
同図は従来技術の動作を示すタイミング図であって、ＬＣＤコントローラー３０３で生成されたＣＰ５０１はノイズ低減手段３０４を通過することで波形崩れを起こし、ＣＰ’５０２のような波形になる。
【００１５】
ＣＰは信号線駆動回路３０２に画像データ５０３を供給するタイミングを規定する信号であり、その立ち下がりにおいて画像データを信号線駆動回路へと格納する。
【００１６】
しかしながら、波形崩れを起こしたＣＰ’５０２は信号の立ち下がりが遅延しているために、画像データ５０３に対するデータホールド時間Ｈが確保できず、データの取り込み誤り等の誤動作を引き起こしていた。
【００１７】
かかる誤動作を解消するために、選択的遅延手段３０５によってデータの変化点をＣＰ’５０２の立ち下がり点に応じて選択的に遅延させ、遅延データ５０４を生成し、十分なデータホールド時間Ｈ’を確保していた。
【００１８】
すなわち、ＣＰ’５０２の波形崩れが小さいときには、画像データの通過するバッファ数を少なくし、これにより、画像データの遅延時間も小さくし、他方、波形崩れが大きいときには、通過するバッファ数を増やして画像データの遅延時間を大きくしていた。
【００１９】
このような選択性を備えることで、上画面側と下画面側のＣＰ’５０２の波形崩れや伝送遅れに応じて個別に調節することができた。
【００２０】
そして、上記のような方法を用いることで、高周波クロックによるノイズを低減でき、且つその２次災害として起こる誤動作も解消することができた。
【００２１】
【特許文献１】
特開平９−６８９５２号公報
【００２２】
【発明が解決しようとする課題】
しかしながら、近年、液晶表示装置に対する低価格化の要求は強まる一方であり、従来技術のような抵抗、コンデンサからなるノイズ低減手段、バッファ回路ならびに切り替え回路からなる選択的遅延手段を備えた構成の液晶表示装置においては、製造コストが大きくなり、その分、高コストとなり、近年の市場ニーズにあわなくなっていた。
【００２３】
したがって、本発明は上記事情に鑑みて完成されたものであり、その目的は製造コストが小さくして、ＥＭＩ対策をほどこした液晶表示装置を提供することにある。
【００２４】
【課題を解決するための手段】
本発明の液晶表示装置は、２画面駆動タイプの単純マトリクス型液晶モジュールならびにこの液晶モジュールに対し制御信号および画像データを供給するコントローラーを備え、そして、前記コントローラーに対し、一方画面側信号線駆動回路に画像データを供給するタイミングを規定する一方画面側ドットクロック信号と、他方画面側信号線駆動回路に画像データを供給するタイミングを規定する他方画面側ドットクロック信号との間にて位相を１８０度ずらして発生させる制御回路を設けたことを特徴とする。
【００２５】
本発明の他の液晶表示装置は、前記液晶モジュールとコントローラーとを接続する手段に対し、一方画面側ドットクロックラインと他方画面側ドットクロックラインとをほぼ平行に隣接して設けられたことを特徴とする。
【００２６】
【作用】
本発明の液晶表示装置によれば、上記構成のごとき、コントローラーに対し、一方画面側信号線駆動回路に画像データを供給するタイミングを規定する一方画面側ドットクロック信号と、他方画面側信号線駆動回路に画像データを供給するタイミングを規定する他方画面側ドットクロック信号との間にて位相を１８０度ずらして発生させる制御回路を設けたことで、ドットクロックから発生する高周波ノイズ輻射を低コストで低減することができる。
【００２７】
好適には液晶モジュールとコントローラーとを接続する手段に対し、一方画面側ドットクロックラインと他方画面側ドットクロックラインとをほぼ平行に隣接して設けられたことで、かかる本発明の作用効果をさらに高め、より優位にドットクロックから発生する高周波ノイズ輻射を低コストで低減することができる。
【００２８】
【発明の実施の形態】
本発明を図により説明する。
【００２９】
図１は本発明のＳＴＮタイプの液晶表示装置の概略構成を示すブロック図であり、図２は本発明の液晶表示装置の動作を示すタイミング図である。
【００３０】
図１に示す液晶表示装置によれば、１００は単純マトリクス型液晶パネルであり、画面を上画面と下画面とに２分割して同時にかつ並行的に描画する構成である。
【００３１】
なお、本例においては、請求項に記載した一方は上画面に対応し、他方は下画面に対応する。
【００３２】
また、１０１ａは上画面に対応する上側走査線駆動回路であり、１０１ｂは下画面に対応する下側走査線駆動回路である。
【００３３】
１０２ａは上画面に対応する上側信号線駆動回路であり、１０２ｂは下画面に対応する下側信号線駆動回路である。
【００３４】
本発明の液晶表示装置において、さらに各種部材が設けられるが、たとえば、本例によれば、バックライト（図示せず）、ケース（図示せず）を含めた液晶モジュール１０３も構成する。
【００３５】
また、１０４は各種制御信号および画像データを生成するＬＣＤコントローラーである。
【００３６】
１０５は液晶モジュール１０３とＬＣＤコントローラー１０４を含むホスト側基板とを接続するためのケーブルまたはＦＰＣであって前記液晶モジュールとコントローラーとを接続する手段に対応する。そして、このような手段において、上画面側ドットクロックライン（Ｕ−ＣＰライン）と下画面側ドットクロックライン（Ｌ−ＣＰライン）が平行に隣接して設けられている。
【００３７】
以上のような構成の液晶表示装置において、次にかかる液晶表示装置の動作について図２により説明する。
【００３８】
同図は本発明の液晶表示装置の動作を示すタイミング図である。
【００３９】
図２において、２０１は上画面用画像データ（Ｕ−ＤＡＴＡ）、２０２は上側ドットクロック信号（Ｕ−ＣＰ）、２０４は下画面用画像データ（Ｌ−ＤＡＴＡ）、２０３は下側ドットクロック信号（Ｌ−ＤＡＴＡ）である。なお、その他の制御信号およびその動作については省略する。
【００４０】
これらの信号はＬＣＤコントローラー１０４で生成され、接続ケーブル１０５を介して液晶モジュール１０３に入力される。
【００４１】
その後、上側ドットクロック信号（Ｕ−ＣＰ）２０２および上画面用画像データ（Ｕ−ＤＡＴＡ）２０１は上側信号駆動回路１０２ａに送られ、上側ドットクロック信号（Ｕ−ＣＰ）２０２の立ち下がりでもって、上画面用画像データ（Ｕ−ＤＡＴＡ）２０１を上側信号駆動回路１０２ａに格納する。
【００４２】
同様に、下画面用画像データ（Ｌ−ＤＡＴＡ）２０３および下画面用画像データ（Ｌ−ＤＡＴＡ）２０４は下側信号駆動回路１０２ｂに送られ、下画面用画像データ（Ｌ−ＤＡＴＡ）２０３の立ち下がりでもって、下画面用画像データ（Ｌ−ＤＡＴＡ）２０４を格納する。
【００４３】
このようにして、さらに上側ドットクロック信号（Ｕ−ＣＰ）２０２と下画面用画像データ（Ｌ−ＤＡＴＡ）２０３の位相差が１８０度となるよう生成し、且つ下画面用画像データ（Ｌ−ＤＡＴＡ）２０４の変化点が下画面用画像データ（Ｌ−ＤＡＴＡ）２０３の立ち上がりに同期する形で出力する。
【００４４】
このように制御することで、上側ドットクロック信号（Ｕ−ＣＰ）２０２と下画面用画像データ（Ｌ−ＤＡＴＡ）２０３から発生する輻射ノイズが互いに相殺され、周囲に与えるＥＭＩが低減する。
【００４５】
好適には、接続ケーブル１０５において、上画面側ドットクロックライン（Ｕ−ＣＰライン）と下画面側ドットクロックライン（Ｌ−ＣＰライン）を平行に隣接して設けることで、その効果をより高めている。
【００４６】
すなわち、本発明によれば、Ｕ−ＣＰラインとＬ−ＣＰラインに位相が互いに反転する信号を伝えさせることで、各ラインから放出される電磁波を相殺させ、これにより、外部への不要輻射を低減せしめる構成であって、その効果をより高めるには、両者を平行にできるだけ近付け、且つライン全長のできるだけ長い部分にわたり、そのように近付けることが有効であり。たとえば、両ラインが平行に保たれ、その距離が信号の波長の１／２に等しい場合には、両ライン間を結ぶ線の延長上では両ラインからの電磁波は位相が一致し、そのために電磁波は相殺ではなく、却って加算される。しかしながら、これに対し、両ラインの距離が零で、逆位相のふたつの電磁波が同一地点から発生する場合には、両者は完全に相殺され外部への放出はなくなる。
【００４７】
さらに上画面用画像データ（Ｕ−ＤＡＴＡ）２０１と下画面用画像データ（Ｌ−ＤＡＴＡ）２０４との間にて、変化点が分散するため、画像データの一斉変化によるノイズも軽減することができた。
【００４８】
なお、本発明の実施形態ではＵ−ＣＰラインとＬ−ＣＰラインを平行に隣接して設けているが、ツイストさせる等してこの効果をより高めても良い。
【００４９】
【発明の効果】
以上のとおり、本発明の液晶表示装置によれば、コントローラーに対し、一方画面側信号線駆動回路に画像データを供給するタイミングを規定する一方画面側ドットクロック信号と、他方画面側信号線駆動回路に画像データを供給するタイミングを規定する他方画面側ドットクロック信号との間にて位相を１８０度ずらして発生させる制御回路を設けたことで、ドットクロックから発生する高周波ノイズ輻射を低コストで低減することができた。
【００５０】
また、本発明によれば、液晶モジュールとコントローラーとを接続する手段に対し、一方画面側ドットクロックラインと他方画面側ドットクロックラインとをほぼ平行に隣接して設けられたことで、かかる本発明の作用効果をさらに高め、より優位にドットクロックから発生する高周波ノイズ輻射を低コストで低減することができた。
【００５１】
しかも、本発明によれば、高周波ノイズ源であるドットクロックラインにノイズ低減手段を設ける必要が無くなり、また、ノイズ低減手段を用いたことによる誤動作の対策回路も必要としなくなり、これにより、より簡単で、しかも、低コストにＥＭＩ対策された液晶表示装置を提供できた。
【００５２】
また、本発明によれば、ケースおよび基板のグランド（ＧＮＤ）強化等により比較的ＥＭＩ対策が容易な液晶モジュールのみならず、ホスト側基板と接続するためのケーブルにもその効果が発揮される。
【図面の簡単な説明】
【図１】本発明のＳＴＮタイプの液晶表示装置の概略構成を示すブロック図である。
【図２】本発明の液晶表示装置の動作を示すタイミング図である。
【図３】従来の２画面駆動タイプのＳＴＮ型液晶表示装置を示すブロック図である。
【図４】従来のＳＴＮ型液晶表示装置における選択的遅延手段を示すブロック図である。
【図５】従来のＳＴＮ型液晶表示装置の動作を示すタイミング図である。
【符号の説明】
１００：単純マトリクス型液晶パネル
１０１ａ：上側信走査線駆動回路
１０１ｂ：下側走査線駆動回路
１０２ａ：上側信号線駆動回路
１０２ｂ：下側信号線駆動回路
１０３：液晶モジュール
１０４：ＬＣＤコントローラー
１０５：接続ケーブル
２０１：Ｕ−ＤＡＴＡ
２０２：Ｕ−ＣＰ
２０３：Ｌ−ＣＰ
２０４：Ｌ−ＤＡＴＡ
３００：液晶パネル
３０１ａ：上側走査線駆動回路
３０１ｂ：下側走査線駆動回路
３０２ａ：上側信号線駆動回路
３０２ｂ：下側信号線駆動回路
３０３：ＬＣＤコントローラー
３０４：ノイズ低減手段
３０５：選択的遅延手段  ４０１：バッファ
５０１：ＣＰ
５０２：ＣＰ’
５０３：画像データ
５０４：遅延データ
【図１】
2004258130.tif 000003
【図２】
2004258130.tif 000004
【図３】
2004258130.tif 000005
【図４】
2004258130.tif 000006
【図５】
2004258130.tif 000007